(57)【特許請求の範囲】
【請求項１】
有底筒状のマスカラ収納容器（１０）と、その収納容器（１０）に差し込まれる棒状ブラシ（２０）と、そのブラシ（２０）の柄（２２）を回転自在に支持して前記収納容器（１０）の開口部（１１）に同軸上に取付けられる筒状支持部（３０）と、この筒状支持部（３０）に同軸上に取付けられる筒状操作部（４０）とからなり、
上記操作部（４０）は、モータ（４３）、そのモータ制御用基板（４４）、電池（４５）及び操作スイッチ（４６）が設けられており、その操作部（４０）を上記筒状支持部（３０）に取付けることによって、前記モータ（４３）の回転軸が上記ブラシの柄（２２）と着脱可能に連結されてモータ（４３）の回転力がブラシ（２０）に伝達するようになっており、
上記モータ（４３）に別のモータ（５１）を固定して設け、その別のモータ（５１）の回転軸に偏心振動子（５２）を設けたことを特徴とするマスカラ用具。
【請求項２】
上記収納容器（１０）の開口部（１１）の全周にパッキング（１２）を設け、上記ブラシ柄（２２）には、上記筒状支持部（３０）を前記収納容器開口部（１１）に取付けた際、前記パッキング（１２）に接して収納容器（１０）内のマスカラ（ｂ）の洩れを防止する突起（２６）を設けたことを特徴とする請求項１に記載のマスカラ用具。
【請求項３】
上記収納容器（１０）の開口部（１１）の全周にパッキング（１２）を設け、上記筒状支持部（３０）はベアリング（２７）を介して上記ブラシ柄（２２）を回転自在に支持し、前記筒状支持部（３０）を前記収納容器開口部（１１）に取付けた際、そのベアリング（２７）に前記パッキング（１２）が接して収納容器（１０）内のマスカラ（ｂ）の洩れを防止するようにしたことを特徴とする請求項１又は２に記載のマスカラ用具。
【発明の詳細な説明】
【技術分野】
【０００１】
この発明は、ブラシ毛を自動回転させることによって、まつ毛のカール方向に沿ってマスカラ（化粧材）をそのまつ毛上に付着させるマスカラ用具に関するものである。
【背景技術】
【０００２】
マスカラは化粧品の一種で、まつ毛を濃く、長く又はカールしているように見せるものであり、液状、固形状及びクリーム状の３タイプがあって、カラー（色）は、黒、茶、紺などが主流であり、透明なものもある。
そのマスカラは、通常、有底筒状容器に収納され、その容器に棒状ブラシが差し込まれて、そのブラシ毛にマスカラを付着した状態となっており（図２参照）、例えば、図１１（ａ）、（ｂ）に示すように、容器からブラシ２０を引き抜いて手に持ち、そのブラシ毛２１をまつ毛ａにあてがい、手首を回すことによって、まつ毛ａのカールの方向に沿ってブラシ２０（ブラシ毛２１）を回転させてブラシ毛２１に付着するマスカラｂをまつ毛ａに塗布する。
【０００３】
このとき、初心者や手の動きの良くない者、さらに、手の動きに不便のある者には、手首を回しまつ毛ａに沿ってブラシ毛２１を回転させる動作は容易ではなく、上手くその操作ができない。
このため、この発明の対象であるブラシ２０を自動回転させるマスカラ用具が種々考案されている（特許文献１〜３参照）。
【先行技術文献】
【特許文献】
【０００４】
【特許文献１】実用新案登録第３１５１１４７号公報
【特許文献２】実用新案登録第３１５１５１３号公報
【特許文献３】実用新案登録第３１５２５０３号公報
【０００５】
この種のブラシ２０を自動回転させるマスカラ用具は、この発明に係る一実施形態を示す図１〜図４を参照して説明すると、有底筒状のマスカラ収納容器１０と、その収納容器１０に差し込まれる棒状ブラシ２０と、そのブラシ２０を回転自在に支持する握持部３０、４０とからなり、その握持部にモータ４３、電源（電池）４５及び制御基板４４を収納したものが一般的である。
このマスカラ用具は、握持部を手で持ち、スイッチ４６でもって、モータ４３を駆動し、この駆動によってブラシ２０を回転させ、この回転状態のブラシ毛２１をまつ毛ａに当てがい、まつ毛ａのカール方向に沿ってマスカラｂをそのまつ毛ａ上に付着させるとともにまつ毛ａをカールさせる。又は、ブラシ毛２１をまつ毛ａにあてた後、モータ４３を駆動させてマスカラｂのまつ毛ａへの付着とカールを行う。
【０００６】
また、そのマスカラｂをまつ毛ａに円滑に付着させるために、ブラシ２０を振動させるものもある（特許文献１参照）。そのブラシ２０の振動は、モータの回転軸に偏心振動子（偏心ブロック）を設け、その回転軸による偏心振動子の回転に伴う振動によって行う（本願図６参照）。このとき、ブラシ２０を振動させるだけで、ブラシ２０を回転させないものや、ブラシ２０を振動させるとともに回転させるものもある。
【発明の概要】
【発明が解決しようとする課題】
【０００７】
上記ブラシ２０を自動回転させるマスカラ用具は、そのマスカラ動作を簡便にした点においては有効なものであるが、収納されたマスカラｂがなくなれば、全てが廃棄処分とされている。
今日の環境問題の高まりの下、その廃棄されるマスカラ用具には、まだ充分に使用し得るモータ４３や電池４５が残っており、そのモータ等の廃棄は問題である。
【０００８】
また、従来のブラシ２０を振動させるマスカラ用具において、ブラシ２０を回転させないものは、手首を回転させて用具（ブラシ２０）を回転させる必要があり、上記初心者等における問題がある。
ブラシ２０を振動及び回転させるマスカラ用具は、その振動を得るための回転数とブラシ２０を回転させる回転数は、通常、前者の振動を与える回転数が数千ｒｐｍ（数千回／分）であるのに対し、ブラシ回転は数十ｒｐｍ（数十回／分）である。このため、従来のブラシ２０の振動によってそのブラシ２０自身を回転させるものは、両者の適切な回転数（振動数）を得ることができず、通常、そのブラシ２０の回転が円滑でない問題がある。また、減速機でもって偏心振動子の回転数（振動数）とブラシ２０の回転数を適切なものとすることも考え得るが、減速機でもって回転数の異なる２つの回転（軸）を出力しようとすると、その減速機が大きくなる問題がある。マスカラ用具はコンパクト化が望まれており、その要望に反する。
【０００９】
この発明は、環境問題の高まりの下、この種のマスカラ用具においても、環境問題に優しい物とすることを第１の課題、ブラシ２０の回転数と振動数を適切なものとすることを第２の課題とする。
【課題を解決するための手段】
【００１０】
上記第１の課題を達成するために、この発明は、マスカラ容器とブラシは、付着マスカラの洗浄が容易ではないことから、それらは廃棄又は回収することとし、それ以外のモータ等のものは、使用者において再利用し得るようにしたのである。
このようにモータ等の耐久性のある物を再利用することは省資源になり、環境に優しいことである。省資源及び再利用は廃棄物を少なくすることであり、お金の節約にも繋がる。特に、マスカラは女性の生活スタイルの一部となっており、その生活において、環境に優しいことは、今日のエコロジーに対する認識が高まるものである。
【００１１】
具体的には、この発明は、有底筒状のマスカラ収納容器と、その収納容器に差し込まれる棒状ブラシと、そのブラシの柄を回転自在に支持して前記収納容器の開口部に同軸上に取付けられる筒状支持部と、この筒状支持部に同軸上に取付けられる筒状操作部とからなり、前記操作部はモータ、そのモータ制御用基板、電池及び操作スイッチが設けられており、その操作部を前記筒状支持部に取付けることによって、前記モータの回転軸がブラシの柄と着脱可能に連結されてモータの回転力がブラシに伝達するようになっている構成としたのである。
【００１２】
この構成であると、マスカラ収納容器、ブラシ及びその支持部は廃棄されることとなるが、モータ等を収納した操作部は、新たなマスカラ収納容器、ブラシ及びその支持部からなる部品のその支持部に取付けることによって、新たなマスカラ用具が構成される。このとき、廃棄されるブラシ等も回収して再利用すれば、さらに省資源となる（エコとなる）。回収には、エコポイントを与えて、新しいブラシ等の価額の割引ポイントとすることができる。
【００１３】
この構成において、上記モータ、モータ制御用基板及び電池は、筒状部材内に収納され、その筒状部材の一端部を上記操作部に嵌め込むとともに、筒状部材の他端部を上記支持部に嵌め込むことによって、その支持部に操作部を取付けるようになっている構成とすれば、支持部への操作部の取付けが容易となるとともに、筒状部材内にブラシ駆動部及びその操作部が収納されるため、その筒状部材をさらに分解することによって、その中のモータ等の再利用も容易になる。また、その筒状部材の交換によって駆動部等の修理が行え得る利点もある。さらに、筒状部材内にモータ等が収納されていることは、それらの分別もし易く、廃棄や再利用への可能性が高いものとなる。
【００１４】
上記第２の課題を達成するために、この発明は、今日の小型（マイクロ）モータの小型化傾向に鑑み、ブラシの回転と振動をそれぞれ別のモータで行うこととしたのである。
今日、小型モータは、益々、小型化（マイクロ化）が進んでおり、上記の回転数の異なる２つの回転（軸）を出力する減速機に比べれば、２つのモータが必要とするスペースも少なくてすむとともに、両モータは同軸上に容易に設けることができて、振動を回転するブラシ毛に円滑に伝達し得て、その振動によるマスカラの円滑な塗布を得ることができる。ブラシの回転中心と振動中心が偏位していると、振動が回転にその回転中心の振れ等の悪影響を与えて、安定した回転を望めない。
【００１５】
この第２の課題を達成する発明の具体的な構成としては、上記ブラシ毛の回転用モータに別のモータを固定して設け、その別のモータの回転軸に偏心振動子を設けた構成を採用することができる。
このように、両モータを相互に固定して一体化すれば、一つのモータでもって「回転」と「振動」を行う場合と同様になってブラシの安定した回転と振動を得ることができる。このとき、両モータの軸心（回転軸）は同一軸上とすることが好ましい。
【００１６】
なお、第１の課題を達成する上記構成と第２の課題を達成する上記構成は、マスカラ用具に併用したり、それぞれ別に設けたりすることができる。例えば、２つのモータでブラシの回転と振動を行う構成は、第１の課題を達成する上記構成を有するマスカラ用具に限らず、従来のブラシ２０を自動回転させるマスカラ用具にも採用し得る。
【発明の効果】
【００１７】
この発明は、以上のように、有底筒状のマスカラ収納容器と、棒状ブラシと、そのブラシの支持部と、操作部とからなる構成として、操作部を再利用可能としたので、環境に優しい物となる。
また、２つのモータによりブラシ毛の回転と振動を行えば、大型化を招くことなく、その個別のモータの回転数を制御することによって、ブラシ毛の最適な回転数と最適な振動数を容易に得ることができる。
【図面の簡単な説明】
【００１８】
【図１】この発明に係るマスカラ用具の一実施形態の容器からブラシを引き出した状態の斜視図
【図２】（ａ）は同実施形態の一部省略正面図、（ｂ）は同断面図
【図３】図２（ｂ）のＸ−Ｘ線断面図
【図４】同実施形態の分解斜視図
【図５】同モータ等の収納部の分解斜視図
【図６】同モータ部の他例の斜視図
【図７】同スイッチ部の他例の分解斜視図
【図８】他の実施形態の要部断面図
【図９】（ａ）〜（ｃ）は同実施形態の各作用説明図
【図１０】（ａ）は他の実施形態の要部断面図、（ｂ）は同筒状部材の一部切り欠き斜視図
【図１１】マスカラの使用説明図であり、（ａ）は斜視図、（ｂ）は同（ａ）の要部拡大図
【発明を実施するための形態】
【００１９】
一実施形態を図１〜図５に示し、この実施形態は、有底筒状のマスカラ収納容器１０と、その収納容器１０に差し込まれる棒状ブラシ２０と、そのブラシ２０の柄２１を回転自在に支持して前記収納容器１０の開口部１１に同軸上に取付けられる筒状支持部３０と、この筒状支持部３０に同軸上に取付けられる筒状操作部４０とからなる。これら１０、２０、３０、４０は、それぞれ合成樹脂からなる一体成型品であって、環境保護の面から、その樹脂は生分解性樹脂を採用することが好ましい。
【００２０】
上記収納容器１０には、ファイバー混入の液状マスカラｂを収納し、そのマスカラｂの性状は、自動回転塗布を考慮して、前記ファイバーの大きさ及び量や粘度を適宜に設定する。
ブラシ２０は、その先端部の針金を螺旋状に捩った線条体に稙毛したブラシ毛２１と、そのブラシ毛２１の端を圧入固定した柄２２とからなる。その稙毛（ブラシ毛）２１の量、長さ、密度も自動回転塗布を考慮して、適宜に設定する。また、図１鎖線のように、ブラシ毛２１の周表面は凹円弧状（鼓状）にカーブを付ければ、まつ毛の生えている形状にその周表面が沿うため、マスカラｂをまつ毛ａに均一に塗布することができる。
【００２１】
容器１０の開口部１１には筒状のゴム製パッキング１２がその両端面の環状突起１２ａを開口部１１の端面又は段部に係止して嵌められている。このパッキング２０は、容器１０からのマスカラｂの漏れ出しを抑制するとともに、ブラシ２０を容器１０から抜き出す際、そのブラシ毛２１が触れることによって、ブラシ毛２１内のマスカラｂを適宜に削ぎ落して滴量にする。
なお、ブラシ２０を容器１０内に納めた際、パッキング１２をブラシ柄２２に接しさせてマスカラｂの漏れ出しを確実に防止するようにすることもできる。
【００２２】
支持部３０は、中程に隔壁３１を有し、その隔壁３１中央の支持孔３２に、上記ブラシ２０をそのブラシ毛２１側から差し入れて（図２（ｂ）の右側から左方向に差し入れて）、ブラシ２０をこの支持部３０に取付ける。そのとき、柄２２の端の突起２３が支持孔３２周囲の隔壁段部３１ａに当たってその以上の差し込みが阻止される。すなわち、ブラシ２０は支持部３０から容器１０側には抜けない。
そのブラシ２０の取付けは、柄２２を支持孔３２に差し込んだ後に、ブラシ毛２１を柄２２に取付けても良いが、ブラシ毛２１付きの柄２２を支持孔３２に差し込んでも良い。後者の場合、ブラシ毛２１が撓んで支持孔３２を通過することとなる。前記突起２３の端面は、十字状の溝２４が形成されている（図４参照）。
【００２３】
操作部４０は、有蓋円筒状のキャップ４１と、そのキャップ４１に一端部が嵌る樹脂製筒状部材４２とからなる。筒状部材４２は、図５に示すように、半割円筒状であり、その前部にモータ４３、その後部に２枚の制御基板４４が嵌め込みによって設けられる。一方の制御基板４４に電池４５が、他方の制御基板４４にスイッチ４６が設けられる。対の半割円筒部は、図示のように連結されていても、連結せずに分かれていても良いが、両者は突起４２ａとその嵌合孔４２ｂ等の構成によって嵌め合わせて一体とされる。
電池４５は、止め金具４７を制御基板４４に嵌めることによって取付けられる。このため、その止め金具４７の取り外し・取付けによって電池４５の交換が可能である。
【００２４】
モータ４３は減速機４３ａを介してその端面中央から突出した回転軸に十字状突起４８が設けられており、図２（ｂ）、図４に示すように、筒状部材４２に内にモータ４３が嵌められて固定されると、その筒状部材４２の他方端面中央にその十字状突起４８は位置する。
このため、筒状部材４２の他端部を支持部３０に嵌め込むと、図２（ｂ）に示すように、その突起４８が上記ブラシ柄２２の十字状溝２４に嵌って、モータ４３の回転力がその十字状突起４８、溝２４を介してブラシ２０に伝達される。
【００２５】
スイッチ４６は、図４に示すように、作動子４６ａが実線の状態で、制御回路やモータ４３等への全ての電源が遮断され、一点鎖線の状態に移動されることによって、前記電源が入り、例えば、モータ４３が正回転（右回転）を行い、二点鎖線の状態に移動されることによって、モータ４３が逆転（左回転）を行う。その作動子４６ａは図２に示すように摘み４９に嵌る。その摘み４９は、図３に示すようにキャップ４１の摺動ガイド４１ａに嵌ってそのガイド長さ方向に移動自在であり、その移動によって、前記作動子４６ａが上記「停止」、「正回転」、「逆転」の位置に移動する。その摘み４９の移動位置に対応して、キャップ４１の表面にはその旨を示す表示がなされる。なお、各図中、４２ｄは基板支持杆である。
【００２６】
この実施形態は以上のような構成であり、図５の状態から、筒状部材４２に、モータ４３、制御基板４４、電池４５等を組み込み、図４から図１、図２に示すように、その筒状部材４２の一端部をキャップ４１に嵌め込んで操作部４０を構成するとともに、筒状部材４２の他端部をブラシ２０を取付けた支持部３０に嵌め込むことによって、その支持部３０に操作部４０を取付ける。
このブラシ２０付きの操作部４０（支持部３０）を容器１０にその開口部１１からブラシ２０を差し込み、その開口部１１にねじ込むことによって、不使用状態（販売状態）のマスカラ用具を得る（図２の状態）。
【００２７】
使用時（マスカラ時）には、まず、図１に示すように、握持部（支持部３０及び操作部４０）を手で持ち、容器１０からブラシ２０を抜き出した後、スイッチ４６でもって、モータ４３を駆動し、この駆動によってブラシ２０を回転させる。
つぎに、図１１に示すように、従来と同様に、この回転状態のブラシ２０をまつ毛ａに当てがい、まつ毛ａのカール方向に沿ってマスカラｂをそのまつ毛ａ上に付着させるとともにまつ毛ａをカールさせる。又は、ブラシ２０をまつ毛ａにあてた後、モータ４３を駆動させてマスカラｂのまつ毛ａへの付着とカールを行う。
このとき、握った手に応じて、例えば、右手で持った場合は、上側まつ毛ａであれば、ブラシ２０をその先に向かって右（時計回り）回転させ、下側まつ毛ａであれば、ブラシ２０を同左回転させる。
【００２８】
このマスカラ時、ブラシ２０が回転することによって、まつ毛ａを１本１本均一に包み込んで塗布するため、その仕上がりも美しいものとなる。このため、初心者や手の不自由な者でも美しいマスカラを行うことができる。ブラシ２０の回転は、マスカラｂの粘性等の性状に基づき適宜に設定すればよいが、例えば、２８〜３５回／分（ｒｐｍ）とする。
また、モータ４３の駆動によってブラシ２０はある程度の振動をするため、その振動が回転に加わることによって、マスカラｂの塗布も充分なボリューム、ロング（長時間維持）効果を得ることができるとともに、それらの効果を円滑に得ることができる。
【００２９】
そのブラシ２０の振動を確実に得るためには、例えば、図６に示す構造とする。この構造は、上記モータ４３にさらに別のモータ５１を同一軸上で固定して設け、そのモータ５１の回転軸に偏心振動子５２を設けたものである。このとき、両モータ４３、５１及び減速機４３ａはできるだけ、小型のものを採用する。例えば、図５の筒状部材４２内に納まるようにする。
この構成であると、モータ４３への通電とともに、モータ５１にも通電されて偏心振動子５２が回って振動を両モータ４３、５１に与えてブラシ２０が振動する。このため、ブラシ２０は回転とともに確実に振動して、マスカラｂを塗布することとなる。このとき、ブラシ２０の回転とは別に、ブラシ２０の振動の有無を選択し得るようにしても良い。例えば、振動用モータ５１の駆動（通電・非通電）用スイッチを別に設けることができる。モータ５１の回転は、マスカラｂの粘性等の性状に基づき適宜に設定すればよいが、例えば、７０００〜８０００回／分（ｒｐｍ）とする。
【００３０】
上記の実施形態は、スイッチ４６をスライド式としたが、押しボタン式としたり、ロータリ（回転）式としたりし得る。例えば、図７に示すように、摘み４９に代えて、筒状部材４２の突条５６に嵌ってその長さ方向に移動自在の摺動子５５を設け、この摺動子５５をスイッチ４６の作動子４６ａに嵌めたロータリ式とし得る（図８参照）。
キャップ４１は、例えば、同図に示す円筒状として筒状部材４２にその軸心周りに回転可能に嵌め、そのキャップ４１の突起５７を摺動子５５の傾斜溝５８に嵌める（図８参照）。このため、キャップ４１をその軸心周りに左右回転すれば、上記のように、スイッチ４６の作動子４６ａが図９（ａ）、図９（ｂ）及び図９（ｃ）に示す各状態となって、例えば、モータ４３を左回転、停止及び右回転させる。突起５７は、棒状として、キャップ４１の筒状部材４２への嵌め込み時にはそのキャップ４１の内面から没した（図７に示す表面から突出した）状態とし、嵌め込み後に押し込むことによって傾斜溝５８に嵌めるようにし得る（図８の状態）。突起５７は、傾斜溝５８に嵌め込んだ後、接着剤等によってキャップ４１に固定する。
【００３１】
キャップ４１を蓋のない円筒状とすると、その回転が円滑となるが、筒状部材４２の一端が開放状態となるため、筒状部材４２の一端にはそのキャップ４１の一端開口を塞ぐ円板状塞板５９を設ける（図７、図８参照）。キャップ４１は蓋を有しても回し得るため、塞板５９はキャップ４１に設けて、有蓋円筒状のキャップ４１とすることもできる（図２参照）。
【００３２】
上記の何れの実施形態においても、電池４５は乾電池でも良いが、充電池としたり、操作部４０内に１００Ｖ充電機能を付加したりすることができる。
【００３３】
図８に、上記モータ５１によるブラシ２０の振動機構及びキャップ４１の回転によるスイッチ切替え機構を採用した実施形態を示す。
この実施形態に示すように、ブラシ柄２２に碗状突起２６を設けて、ブラシ２０を容器１０に挿入した際、その碗状突起２６がパッキング１２に圧接するようにすれば、仮に、パッキング１２内にマスカラｂが入ってブラシ柄２２を伝って漏れようとしても、その圧接によってその漏れが確実に防止される。突起２６は碗状でなくとも、例えば、単に膨出させた形状等でもその洩れを防止し得る態様であれば、何れでも良い。突起２６（膨出部）とパッキング１２の接触は、圧接でなくとも、接触してマスカラｂの洩れを有効に防止する程度の接触圧があればよい（接触状態でよい）。
【００３４】
なお、図１０に示すように、ベアリング２７を介在してそのマスカラｂの漏れとブラシ２０（ブラシ柄２２）の円滑な回転を得るようにすることもできる。このとき、筒状支持部３０を収納容器開口部１１に取付けた際、そのベアリング２７にパッキング１２が圧接するようにして、収納容器１０内のマスカラｂが洩れないようにする。
また、同図に示すように、支持部３０の容器１０へのねじ込み部を筒状部材３５でもって構成することもできる。この筒状部材３５は、内面に容器開口部１１のネジ部にネジ合う雌ねじが形成され、外面が支持部３０の筒状部内面とネジ合う雄ねじとしたり、スプライン形状としたりされて支持部３０に固定される。その固定には必要に応じて接着剤を使用する。また、筒状部材３５の蓋側面には筒状突起３６がその周囲に複数設けられており、その突起３６に操作部４０の筒状部材４２の突起４２ｅが嵌って両者３５、４２が一体となるようになっている。この一体化によって、両筒状部材３５、４２の位置決め、すなわち、操作部４０と支持部３０の位置決めがなされる。
さらに、同図に示すように、操作部４０側に回転ブッシュ２８を設けて、そのブッシュ２８にブラシ柄２２を差し込み固定するようにし得る。この場合、ブッシュ２８へは上記の溝２４と突起４８等によってモータ回転力を伝達する。このとき、図８のベアリング２７を有しない構成では、筒状支持部３０を収納容器開口部１１に取付けた際、上記碗状突起２６がそのブッシュ２８の先端部を被うようにする。
【００３５】
以上のように、マスカラｂの容器１０又は支持部３０からの漏れ出しを防止するようにすれば、マスカラｂが操作部４０に入り込む恐れがなくなり、従来のマスカラの回転部への侵入によってその回転不良等に繋がること等もなくなる。また、マスカラｂの付着によって再使用ができない部材は、容器１０、ブラシ２０となり、省資源化により有利となる。このとき、必要があれば、ブッシュ２８や筒状部材３５（ベアリング２７も含む）も取替えればよいが、これら２８、３５は、マスカラbの付着も少なく、洗浄によって使用が可能になる可能性が高い。
【００３６】
因みに、上記の別モータによる振動、碗状突起２６、ベアリング２７、筒状部材３５及び突起３６等の構成は、上記各実施形態に限らず、従来の種々のブラシ２０を自動回転させるマスカラ用具や自動回転させないマスカラ用具にも適宜に採用し得る。
【符号の説明】
【００３７】
１０  マスカラ容器
１１  マスカラ容器の開口部
１２  マスカラ容器の開口部パッキング
２０  ブラシ
２１  ブラシ毛
２２  ブラシの柄
２３  ブラシ柄の端の突起
２４  十字状溝
２６  碗状突起
２７  ベアリング
３０  ブラシの支持部
３１  隔壁
４０  操作部
４１  キャップ
４２  筒状部材
４３  モータ
４４  制御基板
４５  電池
４６  スイッチ
４８  十字状突起
４９  スイッチ摘み
５１  振動用モータ
５２  偏心振動子
５５  スイッチ用摺動子
５７  傾斜溝への嵌合突起
５８  摺動子の傾斜溝
ａ  まつ毛
ｂ  マスカラ
【図１】
0005481703.tif 000002
【図２】
0005481703.tif 000003
【図３】
0005481703.tif 000004
【図４】
0005481703.tif 000005
【図５】
0005481703.tif 000006
【図６】
0005481703.tif 000007
【図７】
0005481703.tif 000008
【図８】
0005481703.tif 000009
【図９】
0005481703.tif 000010
【図１０】
0005481703.tif 000011
【図１１】
0005481703.tif 000012